(57)【特許請求の範囲】
【請求項１】
映像の再生に使用される表示装置と、前記映像内のテロップに対応する点字の表示に使用される点字表示装置とを有する点字ディスプレイシステムに使用される点字ディスプレイシステムの制御装置であって、
前記映像の再生と停止を制御するためのフラグが記憶されるフラグ記憶部と、
前記映像のテロップを含む部分の再生が開始されたら、前記フラグをＯＮにして、当該テロップから点字データを生成し、前記映像のテロップを含む部分の再生が終了したらテロップ終了通知を送出する点字データ生成部と、
前記点字データが記憶される点字データ記憶部と、
前記点字データ記憶部から点字データを読み出し、前記点字表示装置に当該点字データを送信して当該点字データにより点字を表示させ、前記点字表示装置から点字の読み取りが終了したことを示す読取終了信号を受信したら、前記フラグをＯＦＦにする点字データ送信部と、
前記表示装置で前記映像の再生を開始し、前記テロップ終了通知が送出された場合、前記フラグがＯＮなら、映像の再生を停止し、前記テロップ終了通知が送出された場合、前記フラグがＯＦＦで、映像が停止中なら映像の再生を再開する映像再生部と
を備えることを特徴とする点字ディスプレイシステムの制御装置。
【請求項２】
映像の再生に使用される表示装置と、前記映像内のテロップに対応する点字の表示に使用される点字表示装置とを有する点字ディスプレイシステムに使用される点字ディスプレイシステムの制御装置の動作方法であって、
前記制御装置の点字データ生成部が、前記映像のテロップを含む部分の再生が開始されたら、前記映像の再生と停止を制御するためのフラグ記憶部に記憶されたフラグをＯＮにして、当該テロップから点字データを生成し、前記映像のテロップを含む部分の再生が終了したらテロップ終了通知を送出する工程と、
前記制御装置の点字データ送信部が、前記点字データが記憶された点字データ記憶部から点字データを読み出し、前記点字表示装置に当該点字データを送信して当該点字データにより点字を表示させ、前記点字表示装置から点字の読み取りが終了したことを示す読取終了信号を受信したら、前記フラグをＯＦＦにする工程と、
前記制御装置の映像再生部が、前記表示装置で前記映像の再生を開始し、前記テロップ終了通知が送出された場合、前記フラグがＯＮなら、映像の再生を停止し、前記テロップ終了通知が送出された場合、前記フラグがＯＦＦで、映像が停止中なら映像の再生を再開する工程と
を備えることを特徴とする点字ディスプレイシステムの制御装置の動作方法。
【請求項３】
請求項１記載の点字ディスプレイシステムの制御装置としてコンピュータを機能させるためのコンピュータプログラム。
【発明の詳細な説明】
【技術分野】
【０００１】
本発明は、点字ディスプレイシステムの制御装置およびその動作方法に関するものである。
【背景技術】
【０００２】
視覚障害者にとって、点字は文字情報を取得する重要なメディアである。従来よりウェブ上のデータを点字に翻訳（点訳）して表示する技術や装置が存在する（非特許文献１）。
【０００３】
一方、放送においては、映像の内容を音声ガイドによって視覚障害者に伝えるサービスがある。このサービスでは、映像の音声（出演者の会話など）がある場合には、これと重ならないように、音声ガイドを流さない。
【０００４】
一方、音声ガイドの代わりに、ピンディスプレイなどの点字ディスプレイに表示する技術がある。点字ディスプレイに対しては、映像の音声のタイミングによらず、いつでも表示が行える。
【０００５】
特許文献１では、映像とともに表示されるテロップの各単語の意味重要度を求め、これによってテロップの表示の有無を制御し、また、テロップの表示能力やユーザの理解力に応じて、テロップの詳細度（文字数）を変化させ、こうして、テロップを読みやすくしており、さらには、テロップと同じ内容を点字ディスプレイへも表示できるようになっている。
【先行技術文献】
【特許文献】
【０００６】
【特許文献１】特開平１０−０３９８４６号公報
【非特許文献】
【０００７】
【非特許文献１】"自動点字翻訳サーバ"、［ｏｎｌｉｎｅ］、：eBraille、［平成２３年１月１３日検索］、インターネット＜ＵＲＬ：http://ebraille.med.kobe-u.ac.jp/＞
【発明の概要】
【発明が解決しようとする課題】
【０００８】
しかしながら、点字ディスプレイ用の点字データの生成には時間を要するので、これをテロップとは別に用意する必要があり、また、突然出されるテロップをすぐに点字データには変換できず、その内容を点字ディスプレイには表示できない。
【０００９】
また、点字ディスプレイの表示内容を読み取るのに要する時間は、読み取りの習熟度などに依存するので一定でなく、映像中のテロップに同期して点字を表示すると内容を読み取る前に表示が消える場合がある。
【００１０】
本発明は、上記の課題に鑑みてなされたものであり、その目的とするところは、映像のテロップに対応する点字が読み取られてから次の映像の部分を再生する点字ディスプレイシステムの制御装置を提供することにある。
【００１１】
また、別の目的は、映像のテロップに対応する点字が表示されているときの当該映像の速度を予め設定した再生速度に等しくする点字ディスプレイシステムの制御装置を提供することにある。
【００１２】
また、別の目的は、映像のテロップに対応する点字が表示されているときの当該映像の速度を当該テロップから生成された点字データの文字数と点字が読み取られる読取速度とから計算された再生速度に等しくする点字ディスプレイシステムの制御装置を提供することにある。
【課題を解決するための手段】
【００１３】
上記の課題を解決するために、第１の本発明は、映像の再生に使用される表示装置と、前記映像内のテロップに対応する点字の表示に使用される点字表示装置とを有する点字ディスプレイシステムに使用される点字ディスプレイシステムの制御装置であって、前記映像の再生と停止を制御するためのフラグが記憶されるフラグ記憶部と、前記映像のテロップを含む部分の再生が開始されたら、前記フラグをＯＮにして、当該テロップから点字データを生成し、前記映像のテロップを含む部分の再生が終了したらテロップ終了通知を送出する点字データ生成部と、前記点字データが記憶される点字データ記憶部と、前記点字データ記憶部から点字データを読み出し、前記点字表示装置に当該点字データを送信して当該点字データにより点字を表示させ、前記点字表示装置から点字の読み取りが終了したことを示す読取終了信号を受信したら、前記フラグをＯＦＦにする点字データ送信部と、前記表示装置で前記映像の再生を開始し、前記テロップ終了通知が送出された場合、前記フラグがＯＮなら、映像の再生を停止し、前記テロップ終了通知が送出された場合、前記フラグがＯＦＦで、映像が停止中なら映像の再生を再開する映像再生部とを備えることを特徴とする点字ディスプレイシステムの制御装置をもって解決手段とする。
【００１８】
第２の本発明は、映像の再生に使用される表示装置と、前記映像内のテロップに対応する点字の表示に使用される点字表示装置とを有する点字ディスプレイシステムに使用される点字ディスプレイシステムの制御装置の動作方法であって、前記制御装置の点字データ生成部が、前記映像のテロップを含む部分の再生が開始されたら、前記映像の再生と停止を制御するためのフラグ記憶部に記憶されたフラグをＯＮにして、当該テロップから点字データを生成し、前記映像のテロップを含む部分の再生が終了したらテロップ終了通知を送出する工程と、前記制御装置の点字データ送信部が、前記点字データが記憶された点字データ記憶部から点字データを読み出し、前記点字表示装置に当該点字データを送信して当該点字データにより点字を表示させ、前記点字表示装置から点字の読み取りが終了したことを示す読取終了信号を受信したら、前記フラグをＯＦＦにする工程と、前記制御装置の映像再生部が、前記表示装置で前記映像の再生を開始し、前記テロップ終了通知が送出された場合、前記フラグがＯＮなら、映像の再生を停止し、前記テロップ終了通知が送出された場合、前記フラグがＯＦＦで、映像が停止中なら映像の再生を再開する工程とを備えることを特徴とする点字ディスプレイシステムの制御装置の動作方法をもって解決手段とする。
【００１９】
第５の本発明は、映像の再生に使用される表示装置と、前記映像内のテロップに対応する点字の表示に使用される点字表示装置とを有する点字ディスプレイシステムに使用される点字ディスプレイシステムの制御装置の動作方法であって、前記制御装置の点字データ生成部が、前記映像のテロップを含む部分の再生が開始されたらテロップ開始通知を送出して、当該テロップから点字データを生成し、前記映像のテロップを含む部分の再生が終了したらテロップ終了通知を送出する工程と、前記制御装置の点字データ送信部が、前記点字データが記憶された点字データ記憶部から点字データを読み出し、前記点字表示装置に当該点字データを送信して当該点字データにより点字を表示させる工程と、前記制御装置の映像再生部が、前記表示装置で前記映像の再生を開始し、前記テロップ開始通知が送出されたら、前記映像のテロップを含む部分の再生速度が予め記憶された再生速度記憶部から再生速度を読み出し、当該映像の再生の速度を当該再生速度に等しくし、前記テロップ終了通知が送出されたら、当該映像の再生の速度を当初の再生速度に等しくする工程とを備えることを特徴とする点字ディスプレイシステムの制御装置の動作方法をもって解決手段とする。
【００２０】
第６の本発明は、映像の再生に使用される表示装置と、前記映像内のテロップに対応する点字の表示に使用される点字表示装置とを有する点字ディスプレイシステムに使用される点字ディスプレイシステムの制御装置の動作方法であって、前記制御装置は、前記映像のテロップを含む部分のそれぞれにつき、当該映像の部分の先頭のフレームに付与されたタイムスタンプと、当該映像の部分に含まれるテロップから生成された点字データの文字数と前記点字表示装置で点字が読み取られる読取速度とから計算された当該映像の部分の再生速度と、当該映像の部分に含まれるテロップから生成された点字データを示す識別情報とが関連づけて予め記憶される再生速度記憶部と、前記映像のテロップのそれぞれにつき、当該テロップから生成された点字データと、当該点字データを示す識別情報とが関連づけて予め記憶される点字データ記憶部とを備え、前記動作方法は、前記制御装置の再生表示制御部が、前記再生速度記憶部から互いに関連づけられたタイムスタンプと、再生速度と、識別情報とを順次に読み出し、当該タイムスタンプを含むフレームが実際に再生されるタイミングで、当該再生速度および識別情報を送出する工程と、前記制御装置の点字データ送信部が、前記再生表示制御部から識別情報が送出されたら、前記点字データ記憶部から当該識別情報に関連づけられた点字データを読み出し、前記点字表示装置に当該点字データを送信して当該点字データにより点字を表示させる工程と、前記制御装置の映像再生部が、前記表示装置で前記映像の再生を開始し、前記再生表示制御部から再生速度が送出されたら、当該映像の再生の速度を当該再生速度に等しくする工程とを備えることを特徴とする点字ディスプレイシステムの制御装置の動作方法をもって解決手段とする。
【発明の効果】
【００２１】
第１、第２の本発明によれば、映像のテロップに対応する点字が読み取られてから次の映像の部分を再生することができる。
【図面の簡単な説明】
【００２４】
【図１】第１実施の形態に係る点字ディスプレイシステムの外観図である。
【図２】第１の実施の形態における制御装置１の構成を示すブロック図である。
【図３】点字データ生成部１４の構成を示すブロック図である。
【図４】映像再生部１３の動作を示すフローチャートである。
【図５】点字データ生成部１４のテロップ検出部１４３の動作を示すフローチャートである。
【図６】点字データ送信部１６の動作を示すフローチャートである。
【図７】フラグＦ、映像、テロップ、点字について示したタイミングチャートである。
【図８】第２の実施の形態における制御装置１Ａの構成を示すブロック図である。
【図９】映像再生部１３Ａの動作を示すフローチャートである。
【図１０】点字データ生成部１４Ａのテロップ検出部１４３Ａの動作を示すフローチャートである。
【図１１】点字データ送信部１６Ａの動作を示すフローチャートである。
【図１２】映像の再生速度、テロップ、点字について示したタイミングチャートである。
【図１３】第３の実施の形態における制御装置１Ｂの構成を示すブロック図である。
【図１４】点字データ記憶部１５Ｂの構成を示す図である。
【図１５】再生速度記憶部２１の構成を示す図である。
【図１６】点字データ送信部１６Ｂの映像再生前の動作を示すフローチャートである。
【図１７】読取速度計算部１８の動作を示すフローチャートである。
【図１８】点字データ生成部１４Ｂのテロップ検出部１４３Ｂの動作を示すフローチャートである。
【図１９】再生速度計算部２０の動作を示す図である。
【図２０】再生表示制御部２２の動作を示すフローチャートである。
【図２１】映像再生部１３Ｂの動作を示すフローチャートである。
【図２２】点字データ送信部１６Ｂの映像再生時の動作を示すフローチャートである。
【図２３】映像の再生速度、テロップ、点字について示したタイミングチャートである
【発明を実施するための形態】
【００２５】
以下、本発明の実施の形態に係る点字ディスプレイシステムついて図面を参照して説明する。なお、以下の説明では、同一または類似の機能を有する構成要素に同一または一部同一の符号を付与し、重複説明を省略する。
【００２６】
［第１の実施の形態］
まず、第１の実施の形態について説明する。
【００２７】
図１は、第１実施の形態に係る点字ディスプレイシステムの外観図である。
【００２８】
制御装置１は、通信ネットワークＮまたはアンテナＡＮに接続され、制御装置１には、表示装置２が接続されている。表示装置２は、通信ネットワークＮ等を介して制御装置１が受信したテレビ番組や映画などの映像を再生するものである。
【００２９】
制御装置１は、点字表示装置であるピンディスプレイ３に無線（Bluetooth（ブルートゥース）など）で接続される。制御装置１とピンディスプレイ３は、Universal  Serial  Bus等の規格で通信を行うべく有線で接続されていてもよい。
【００３０】
ピンディスプレイ３は、視覚障害者などであるユーザＵに操作されるものであり、映像内のテロップから生成された点字データを点字で表示する点字表示部３１と、表示された点字が読み取られたときに操作される読取終了ボタン３２を備える。
【００３１】
点字表示部３１は、ここでは最も代表的なブライユの６点点字ディスプレイであるが、例えば、多数のピンをマトリクス状に配したものでもよい。
【００３２】
点字表示部３１は、例えば、最も多くて７文字の点字を表示でき、それ以上の点字データは、複数回に分けて表示する。
【００３３】
ピンディスプレイ３は、点字表示部３１に表示された点字が読み取られ、読取終了ボタン３２が操作されたら、制御装置１に読取終了信号を送信する。
【００３４】
図２は、第１の実施の形態における制御装置１の構成を示すブロック図である。
【００３５】
制御装置１は、多数のフレームと称される画像データ（以下、映像と総称する）を受信する映像受信部１１、映像が記憶される映像記憶部１２、映像を再生する映像再生部１３、フレーム内の文字を意味する画像部分（以下、テロップという）から点字データを生成する点字データ生成部１４、点字データが記憶される点字データ記憶部１５、点字データ生成部１４から点字データ送信指示を受信したら点字データを読み出しピンディスプレイ３に送信する点字データ送信部１６、映像の再生と停止を制御するためのフラグＦが記憶されるフラグ記憶部１７を備える。
【００３６】
各記憶部は、ハードディスクや半導体を使用した記憶素子であるソリッドステートデバイス（ＳＳＤ）などにより構成される。
【００３７】
フラグＦは、映像のテロップを含む部分の再生が開始されたらオン（ＯＮ）にされ、読取終了信号が送信され、未送信の点字データがないならオフ（ＯＦＦ）にされる。
【００３８】
映像再生部１３は、表示装置２で映像の再生を開始し、点字データ生成部１４からテロップ終了通知が送信された場合、フラグＦがＯＮなら映像の再生を停止し、テロップ終了通知が送信された場合、フラグＦがＯＦＦで、映像が停止中なら映像の再生を再開する。
【００３９】
図３は、点字データ生成部１４の構成を示すブロック図である。
【００４０】
点字データ生成部１４は、映像記憶部１２から映像のフレームを読み出すフレーム読み出し部１４１、フレームが記憶されるフレーム記憶部１４２、フレーム読み出し部１４１からのテロップ検出指示によりフレームを読み出しテロップを検出するテロップ検出部１４３、テロップ検出部１４３からの文字データ生成指示によりフレームを読み出し、フレーム内のテロップから文字データを生成する文字データ生成部１４４、文字データ生成部１４４から送信される文字データから点字データを生成し、点字データ記憶部１５に記憶させ、点字データ送信部１６に点字データ送信指示を送信する点字データ生成部１４５を備える。
【００４１】
図４は、映像再生部１３の動作を示すフローチャートである。
【００４２】
映像再生部１３は、表示装置２で映像を先頭から、映像に適した再生速度（以下、３０［フレーム／秒］とする）で再生開始し（Ｓ１）、点字データ生成部１４からテロップ終了通知を受信したなら（Ｓ３：ＹＥＳ）、フラグＦを判定する（Ｓ５）。なお、３０［フレーム／秒］は一例であり、他の実施の形態でも同様である。
【００４３】
映像再生部１３は、フラグＦがＯＮなら、映像の再生を停止し（Ｓ７）、Ｓ５に戻り、フラグＦがＯＦＦで、映像再生中なら（Ｓ９：再生中）、Ｓ３に戻り、映像停止中（Ｓ９：停止中）なら、映像の再生を再開し（Ｓ１０）、Ｓ３に戻る。
【００４４】
図５は、点字データ生成部１４のテロップ検出部１４３の動作を示すフローチャートである。
【００４５】
図５の説明の前に、フレーム読み出し部１４１は、映像が再生されると、まず映像の先頭のフレームを読み出し、フレーム記憶部１４２に記憶させ、テロップ検出部１４３にテロップ検出指示を送信し、以降、映像再生中は、フレーム読み出し指示により、再生されているフレームを読み出し、フレーム記憶部１４２のフレームと置き換え、テロップ検出指示を送信する。
【００４６】
図５において、テロップ検出部１４３は、テロップ検出指示が送信されたとき、フレーム記憶部１４２のフレーム（対象フレームという）が先頭のフレームでかつテロップがある場合、または、対象フレームの直前のフレームにテロップがなく対象フレームにテロップがある場合（Ｓ１１：テロップ開始）、フラグＦをＯＮにし（Ｓ１３）、文字データ生成部１４４に文字データ生成指示を送信し（Ｓ１５）、Ｓ１１に戻る。
【００４７】
テロップを検出するアルゴリズムは、例えば特開平10-40391号公報に記載されている。
【００４８】
なお、文字データ生成指示とともに、テロップの位置を通知すれば、テロップから文字データを生成する精度および速度が向上する。
【００４９】
テロップ検出部１４３は、直前のフレームにテロップがあり対象フレームにテロップがない場合（Ｓ１１：テロップ終了）、映像再生部１３にテロップ終了通知を送信し（Ｓ１７）、フレーム読み出し部１４１にフレーム読み出し指示を送信し（Ｓ１９）、Ｓ１１に戻る。
【００５０】
テロップ検出部１４３は、対象フレームが先頭のフレームでかつテロップがない場合、または、対象フレームと直前のフレームにテロップがある場合（Ｓ１１：状態変わらず）、フレーム読み出し部１４１にフレーム読み出し指示を送信し（Ｓ１９）、Ｓ１１に戻る。
【００５１】
図５を離れ、文字データ生成部１４４は、文字データ生成指示を受信したら、フレーム記憶部１４２のフレームのテロップ（つまりテロップの位置の画像）から文字データ（テキストデータ）を生成し、点字データ生成部１４５に送信し、フレーム読み出し部１４１にフレーム読み出し指示を送信する。
【００５２】
文字データを生成するのに使用する文字認識アルゴリズムは、例えば特開2006-251920号公報に記載されている。
【００５３】
点字データ生成部１４５は、文字データから点字データを生成し、点字データ記憶部１５に記憶させ、点字データ送信部１６に点字データ送信指示を送信する。
【００５４】
文字データから点字データを生成するのに使用する点訳アルゴリズムについては、例えば情報処理学会研究報告. 自然言語処理研究会報告 2008(33), 55-60, 2008-03-27 「自動点訳サーバeBrailleの医療文書点訳制度の向上に向けたIPADICの最適化」などに記述されている。
【００５５】
文字データは、テロップの文字数と同数の文字からなる。点字データは、文字データをいわゆる翻訳したものであるから、文字数同士は等しいとは限らない。
【００５６】
図６は、点字データ送信部１６の動作を示すフローチャートである。
【００５７】
点字データ送信部１６は、点字データ送信指示を受信したなら（Ｓ２１：ＹＥＳ）、点字データ記憶部１５から、点字表示部３１に表示可能な文字数分を限度に、最新の点字データの部分を読み出し、ピンディスプレイ３に送信し、点字表示部３１に表示させる（Ｓ２３）。
【００５８】
次に、点字データ送信部１６は、読取終了信号を受信した場合（Ｓ２５：ＹＥＳ）、未送信の点字データが残っているなら（Ｓ２７：あり）、Ｓ２３に戻る。
【００５９】
点字データ送信部１６は、未送信の点字データが残ってないなら（Ｓ２７：なし）、ピンディスプレイ３に通知して、点字表示部３１に表示されている点字データを消去させ（Ｓ２９）、フラグＦをＯＦＦにし（Ｓ３１）、Ｓ２１に戻る。
【００６０】
図７は、フラグＦ、映像、テロップ、点字について示したタイミングチャートである。
【００６１】
図７（ａ）に示すように、テロップが検出されると、フラグＦがＯＮになり、点字の表示が始まる。時刻ｔ１で１回目の読取終了信号が送信され、時刻ｔ２で２回目の読取終了信号が送信され、未送信の点字データがないなら、フラグＦがＯＦＦになる。
【００６２】
その後の時刻ｔ３でテロップ終了通知が送信された場合、フラグＦはＯＦＦなので、映像は停止せず続けて再生される。
【００６３】
一方、図７（ｂ）に示すように、時刻ｔ３でフラグＦがＯＮだったなら、つまり、ユーザによる点字の読み取りの速度が遅く、時刻ｔ３の後の時刻ｔ４にユーザが点字を読み取り終えるような状況にあっては、時刻ｔ３でフラグＦがＯＮなので、映像とテロップは停止する。つまり、映像が再び再生されるまで、少なくとも次のテロップおよび点字の表示は始まらない。
【００６４】
よって、ユーザは表示中の点字を余裕をもって読み取ることができる。この場合、時刻ｔ４でフラグＦがＯＦＦされ、ＯＦＦのフラグＦが検出されたときに、再び映像は再生される。
【００６５】
したがって、第１の実施の形態によれば、制御装置１は、映像の再生と停止を制御するためのフラグＦが記憶されるフラグ記憶部１７と、映像のテロップを含む部分の再生が開始されたら、フラグＦをＯＮにして、当該テロップから点字データを生成し、映像のテロップを含む部分の再生が終了したらテロップ終了通知を送出する点字データ生成部１４と、点字データが記憶される点字データ記憶部１５と、点字データ記憶部１５から点字データを読み出し、点字表示装置（３）に当該点字データを送信して当該点字データにより点字を表示させ、点字表示装置から点字の読み取りが終了したことを示す読取終了信号を受信したら、フラグＦをＯＦＦにする点字データ送信部１６と、表示装置２で映像の再生を開始し、テロップ終了通知が送出された場合、フラグＦがＯＮなら、映像の再生を停止し、テロップ終了通知が送出された場合、フラグＦがＯＦＦで、映像が停止中なら映像の再生を再開する映像再生部１３とを備えるので、映像のテロップに対応する点字が読み取られてから次の映像の部分を再生され、よって、余裕をもって点字を読み取ることができる。
【００６６】
［第２の実施の形態］
次に、第２の実施の形態について説明する。
【００６７】
第２実施の形態に係る点字ディスプレイシステムの外観は、図１と同様なので、図示省略する。
【００６８】
図８は、第２の実施の形態における制御装置１（以下、制御装置１Ａという）の構成を示すブロック図である。
【００６９】
制御装置１Ａは、映像受信部１１、映像記憶部１２、テロップ開始通知を受信したら、予め記憶された再生速度を読み出し、映像の再生の速度を当該再生速度に等しくし、テロップ終了通知を受信したら、映像の再生の速度を３０［フレーム／秒］に等しくする映像再生部１３Ａ、点字データを生成し、映像のテロップを含む部分の再生が開始されたらテロップ開始通知を映像再生部１３Ａに送信し、映像のテロップを含む部分の再生が終了したならテロップ終了通知を映像再生部１３Ａに送信する点字データ生成部１４Ａ、点字データ記憶部１５、第２の実施の形態では用いないフラグの操作はせず、点字データ生成部１４から点字データ送信指示を受信したら点字データを読み出しピンディスプレイ３に送信する点字データ送信部１６Ａ、再生速度の設定に用いられるリモートコントローラ４から送信される再生速度が記憶される再生速度記憶部１７Ａを備える。
【００７０】
リモートコントローラ４は、通常の再生速度を「通常」、少し遅い再生速度を「少し遅い」、さらに遅い再生速度を「遅い」などと音声などで提示し、または、各表示内容に対応する点字をもつボタンを有し、ユーザが「通常」を選択したら再生速度３０［フレーム／秒］を、ユーザが「少し遅い」を選択したら例えば再生速度２３［フレーム／秒］を、ユーザが「遅い」を選択したら例えば再生速度２０［フレーム／秒］を制御装置１Ａに送信し、制御装置１Ａでは、送信された再生速度が再生速度記憶部１７Ａに記憶される。
【００７１】
なお、このように再生速度の候補を３段階で提示するのでなく、５段階で提示してもよく、その数は任意である。また、再生速度Ｎ［フレーム／秒］をリモコンの番号ボタン押下等で直接指定してもよい。
【００７２】
図９は、映像再生部１３Ａの動作を示すフローチャートである。
【００７３】
映像再生部１３Ａは、表示装置２で映像を先頭から３０［フレーム／秒］で再生開始し（Ｓ１０１）、点字データ生成部１４Ａからテロップ開始通知を受信したなら（Ｓ１０３：ＹＥＳ）、再生速度記憶部１７Ａから再生速度を読み出し（Ｓ１０５）、映像の再生の速度を当該再生速度に等しくする（Ｓ１０７）。
【００７４】
次に、映像再生部１３Ａは、点字データ生成部１４Ａからテロップ終了通知を受信したなら（Ｓ１０９：ＹＥＳ）、映像の再生の速度を当初の再生速度３０［フレーム／秒］に等しく（Ｓ１１１）、Ｓ１０３に戻る。
【００７５】
図１０は、点字データ生成部１４Ａのテロップ検出部１４３（以下、テロップ検出部１４３Ａという）の動作を示すフローチャートである。
【００７６】
図１０の説明の前に、第１の実施の形態と同様に、フレーム読み出し部１４１は、映像再生中は、フレーム読み出し指示により、順次にフレームを読み出し、フレーム記憶部１４２のフレームと置き換え、テロップ検出部１４３Ａにテロップ検出指示を送信する。
【００７７】
図１０において、テロップ検出部１４３Ａは、テロップ検出指示が送信されたとき、フレーム記憶部１４２のフレーム（対象フレームという）が先頭のフレームでかつテロップがある場合、または、対象フレームの直前のフレームにテロップがなく対象フレームにテロップがある場合（Ｓ１１：テロップ開始）、映像再生部１３Ａにテロップ開始通知を送信し（Ｓ１３Ａ）、文字データ生成部１４４に文字データ生成指示を送信し（Ｓ１５）、Ｓ１１に戻る。
【００７８】
テロップ検出部１４３Ａは、直前のフレームにテロップがあり対象フレームにテロップがない場合（Ｓ１１：テロップ終了）、映像再生部１３Ａにテロップ終了通知を送信し（Ｓ１７）、フレーム読み出し部１４１にフレーム読み出し指示を送信し（Ｓ１９）、Ｓ１１に戻る。
【００７９】
テロップ検出部１４３Ａは、対象フレームが先頭のフレームでかつテロップがない場合、または、対象フレームと直前のフレームにテロップがある場合（Ｓ１１：状態変わらず）、フレーム読み出し部１４１にフレーム読み出し指示を送信し（Ｓ１９）、Ｓ１１に戻る。
【００８０】
図１０を離れ、第１の実施の形態と同様に、文字データ生成部１４４は、文字データ生成指示を受信したら、フレーム記憶部１４２のフレームのテロップから文字データ（テキストデータ）を生成し、点字データ生成部１４５に送信し、フレーム読み出し部１４１にフレーム読み出し指示を送信する。
【００８１】
点字データ生成部１４５は、文字データから点字データを生成し、点字データ記憶部１５に記憶させ、点字データ送信部１６Ａに点字データ送信指示を送信する。
【００８２】
図１１は、点字データ送信部１６Ａの動作を示すフローチャートである。
【００８３】
点字データ送信部１６Ａは、点字データ送信指示を受信したなら（Ｓ２１：ＹＥＳ）、点字データ記憶部１５から、点字表示部３１に表示可能な文字数分を限度に、最新の点字データの部分を読み出し、ピンディスプレイ３に送信し、点字表示部３１に表示させる（Ｓ２３）。
【００８４】
次に、点字データ送信部１６Ａは、読取終了信号を受信した場合（Ｓ２５：ＹＥＳ）、未送信の点字データが残っているなら（Ｓ２７：あり）、Ｓ２３に戻る。
【００８５】
点字データ送信部１６Ａは、未送信の点字データが残ってないなら（Ｓ２７：なし）、ピンディスプレイ３に通知して、点字表示部３１に表示されている点字データを消去させ（Ｓ２９）、Ｓ２１に戻る。
【００８６】
図１２は、映像の再生速度、テロップ、点字について示したタイミングチャートである。
【００８７】
図１２に示すように、テロップが検出され、点字の表示が始まると、再生速度記憶部１７Ａから読み出された再生速度で映像が再生されて、例えば再生速度が低下し、よって、本来は時刻ｔ３に終了するはずのテロップが時刻ｔ５に終了する。つまり、次のテロップおよび点字の表示は、少なくとも時刻ｔ５以前には始まらない。
【００８８】
よって、ユーザは表示中の点字を余裕をもって読み取ることができる。この場合、ユーザは、時刻ｔ３、ｔ５の間の時刻ｔ４に読み取りを終え、読取終了ボタン３２を操作し、点字が消去されることとなる。
【００８９】
したがって、第２の実施の形態によれば、制御装置１Ａは、映像のテロップを含む部分の再生速度が予め記憶される再生速度記憶部１７Ａと、映像のテロップを含む部分の再生が開始されたらテロップ開始通知を送出して、当該テロップから点字データを生成し、映像のテロップを含む部分の再生が終了したらテロップ終了通知を送出する点字データ生成部１４Ａと、点字データが記憶される点字データ記憶部１５と、点字データ記憶部１５から点字データを読み出し、点字表示装置（３）に当該点字データを送信して当該点字データにより点字を表示させる点字データ送信部１６Ａと、表示装置２で映像の再生を開始し、テロップ開始通知が送出されたら、再生速度記憶部１７Ａから再生速度を読み出し、当該映像の再生の速度を当該再生速度に等しくし、テロップ終了通知が送出されたら、当該映像の再生の速度を当初の再生速度に等しくする映像再生部１３Ａとを備えるので、映像のテロップに対応する点字の読み取りが終了するまでは当該映像の部分が再生速度記憶部１７Ａの再生速度で例えば低速で再生され、よって、余裕をもって点字を読み取ることができる。
【００９０】
また、再生速度を適切に選べば、点字を読み終えるころに、対応する映像の部分の再生が終わるようにでき、つまり、点字を読み終えないうちに、次の映像の部分の再生が始まってしまったり、点字を読み終えても、次の映像の部分の再生がなかなか始まらないような不都合を防止することができる。
【００９１】
［第３の実施の形態］
次に、第３の実施の形態について説明する。
【００９２】
第３実施の形態に係る点字ディスプレイシステムの外観は、図１と同様なので、図示省略する。
【００９３】
図１３は、第３の実施の形態における制御装置１（以下、制御装置１Ｂという）の構成を示すブロック図である。
【００９４】
制御装置１Ｂは、映像受信部１１、映像記憶部１２、映像を特にテロップがあるときはユーザによる点字の読み取りの速度（読取速度）と点字データの文字数に応じた再生速度で再生する映像再生部１３Ｂ、点字データを生成し、特に映像のテロップのある部分と映像のテロップのない部分の先頭のフレームに付与されたタイムスタンプを送出する点字データ生成部１４Ｂ、点字データが当該点字データを示す識別情報（以下、ＩＤという）に関連づけられて記憶される点字データ記憶部１５Ｂ、読取速度を計測するための点字データが予め記憶されている点字データ記憶部１５Ｃ、点字データ記憶部１５Ｂ、１５Ｃから点字データを読み出しピンディスプレイ３に送信する点字データ送信部１６Ｂ、読取速度を計算する読取速度計算部１８、読取速度が記憶される読取速度記憶部１９、読取速度と点字データの文字数に応じた再生速度を計算する再生速度計算部２０、再生速度が記憶される再生速度記憶部２１、再生速度を映像再生部１３Ｂに通知して映像を再生させ、ＩＤを点字データ送信部１６Ｂに通知して該当の点字データを表示させる再生表示制御部２２を備える。
【００９５】
点字データ送信部１６Ｂは、読取速度計算部１８には、これから点字を表示する旨の点字開始通知と点字データを送信し、読取終了信号を受信した旨の読取終了通知を送信する。
【００９６】
再生速度計算部２０は、再生速度を計算するため、点字データ記憶部１５Ｂから点字データとＩＤを読み出す。
【００９７】
図１４は、点字データ記憶部１５Ｂの構成を示す図である。
【００９８】
点字データ記憶部１５Ｂにおいては、映像のテロップのそれぞれにつき、当該テロップから生成された点字データと、当該点字データを示すＩＤとが関連づけて予め記憶されるようになっている。
【００９９】
図１５は、再生速度記憶部２１の構成を示す図である。
【０１００】
再生速度記憶部２１は、映像のテロップを含む部分のそれぞれにつき、当該映像の部分の先頭のフレームに付与されたタイムスタンプと、当該映像の部分の再生速度と、当該映像の部分に含まれるテロップから生成された点字データを示すＩＤとが関連づけて予め記憶されるようになっており、また、映像のテロップを含まない部分についても、当該映像の部分の先頭のフレームに付与されたタイムスタンプと、当該映像の部分の再生速度である３０［フレーム／秒］が関連づけて予め記憶されるようになっている。
【０１０１】
図１６は、点字データ送信部１６Ｂの映像再生前の動作を示すフローチャートである。
【０１０２】
点字データ送信部１６Ｂは、映像再生前に、読取速度を計算するための点字データをピンディスプレイ３に表示させべく、点字データ記憶部１５Ｃから点字データを読み出し、点字データと点字開始通知を読取速度計算部１８に送信する（Ｓ７１）。
【０１０３】
次に、点字データ送信部１６Ｂは、点字データをピンディスプレイ３送信し、点字表示部３１に表示させる（Ｓ７３）。
【０１０４】
次に、点字データ送信部１６Ｂは、点字が読み取られ、読取終了信号を受信したなら（Ｓ７５：ＹＥＳ）、読取終了通知を読取速度計算部１８に送信し（Ｓ７７）、これを予め設定されたＭ回行ってないなら（Ｓ７９：ＮＯ）、ステップＳ７１に戻り、Ｍ回行ったなら（Ｓ７９：ＹＥＳ）、処理を終了する。
【０１０５】
図１７は、読取速度計算部１８の動作を示すフローチャートである。
【０１０６】
読取速度計算部１８は、点字開始通知と読取終了通知の時刻に基づいて、読取速度を計算すべく、点字データ送信部１６Ｂから点字開始通知を受信した（Ｓ５１：ＹＥＳ）なら、自らが持つタイマーをリセットし、スタートさせ（Ｓ５３）、点字データ送信部１６Ｂから読取終了通知を受信した（Ｓ５５：ＹＥＳ）なら、タイマーをストップし、タイマーの時刻を読み取る、つまり、読取時間を計測する（Ｓ５７）。
【０１０７】
読取速度計算部１８は、この計測を予め設定されたＭ回行ってないなら（Ｓ５９：ＮＯ）、ステップＳ５１に戻り、Ｍ回行ったなら（Ｓ５９：ＹＥＳ）、Ｍ回の平均の読取時間を計算し、これを、点字データ送信部１６Ｂから送信された点字データの文字数で除し、得た読取速度を、読取速度記憶部１９に記憶させ（Ｓ６１）、処理を終了する。
【０１０８】
図１８は、点字データ生成部１４Ｂのテロップ検出部１４３（以下、テロップ検出部１４３Ｂという）の動作を示すフローチャートである。
【０１０９】
図１８の説明の前に、フレーム読み出し部１４１は、映像は再生されていないが、まず映像の先頭のフレームを読み出し、フレーム記憶部１４２に記憶させ、テロップ検出部１４３Ｂにテロップ検出指示を送信し、以降、映像は再生されていないが、フレーム読み出し指示により、順次にフレームを読み出し、フレーム記憶部１４２のフレームと置き換え、テロップ検出指示を送信する。
【０１１０】
図１８において、テロップ検出部１４３Ｂは、テロップ検出指示が送信されたとき、フレーム記憶部１４２のフレーム（対象フレームという）が先頭のフレームでかつテロップがある場合、または、直前のフレームにあるテロップとは違うテロップが対象フレームにある場合、または、直前のフレームにテロップがなく対象フレームにテロップがある場合（Ｓ１１：Ａ）、対象フレームに付与されたタイムスタンプ（以下、タイムスタンプＴＳ１という）を再生速度計算部２０に送信し（Ｓ１３Ｂ）、文字データ生成部１４４に文字データ生成指示を送信し（Ｓ１５）、Ｓ１１に戻る。
【０１１１】
テロップ検出部１４３Ｂは、対象フレームが先頭のフレームでかつテロップがない場合、または、直前のフレームにテロップがあり対象フレームにテロップがない場合（Ｓ１１：Ｂ）、対象フレームに付与されたタイムスタンプ（以下、タイムスタンプＴＳ０という）を再生速度計算部２０に送信し（Ｓ１７Ｂ）、フレーム読み出し部１４１にフレーム読み出し指示を送信し（Ｓ１９）、Ｓ１１に戻る。
【０１１２】
テロップ検出部１４３Ｂは、対象フレームと直前のフレームにテロップがない場合、または、対象フレームと直前のフレームに同じテロップがある場合（Ｓ１１：Ｃ）、フレーム読み出し部１４１にフレーム読み出し指示を送信し（Ｓ１９）、Ｓ１１に戻る。
【０１１３】
図１８を離れ、第１の実施の形態と同様に、文字データ生成部１４４は、文字データ生成指示を受信したら、フレーム記憶部１４２のフレームのテロップから文字データ（テキストデータ）を生成し、点字データ生成部１４５に送信し、フレーム読み出し部１４１にフレーム読み出し指示を送信する。
【０１１４】
点字データ生成部１４５は、文字データから点字データを生成し、ＩＤに対応づけて点字データ記憶部１５に記憶させる。
【０１１５】
図１９は、再生速度計算部２０の動作を示す図である。
【０１１６】
再生速度計算部２０は、映像再生前に、再生速度を計算し、再生速度記憶部２１に記憶させべく、図１９に示すように、タイムスタンプＴＳ０が送信され、それより前にタイムスタンプが送信されていないなら（ケース１）、タイムスタンプＴＳ０と再生速度３０［フレーム／秒］を関連づけて再生速度記憶部２１に記憶させる。
【０１１７】
再生速度計算部２０は、タイムスタンプＴＳ１が送信され、それより前にタイムスタンプが送信されていないなら（ケース２）、再生速度記憶部２１には処理を行わない。
【０１１８】
再生速度計算部２０は、タイムスタンプＴＳ１が送信され、直前にタイムスタンプＴＳ０が送信されているなら（ケース３）、タイムスタンプＴＳ０と再生速度３０［フレーム／秒］を関連づけて再生速度記憶部２１に記憶させる。
【０１１９】
再生速度計算部２０は、タイムスタンプＴＳ１が送信され、直前にタイムスタンプＴＳ１が送信されているなら（ケース４）、前者のタイムスタンプＴＳ１と計算された再生速度（詳しくは後述する）と当該計算に用いた点字データに関連づけられたＩＤとを関連づけて再生速度記憶部２１に記憶させる。
【０１２０】
再生速度計算部２０は、タイムスタンプＴＳ０が送信され、直前にタイムスタンプＴＳ１が送信されているなら（ケース５）、タイムスタンプＴＳ１と計算された再生速度（詳しくは後述する）と当該計算に用いた点字データに関連づけられたＩＤとを関連づけて再生速度記憶部２１に記憶させる。
【０１２１】
再生速度の計算は以下のように行われる。
【０１２２】
再生速度計算部２０は、まず、点字データ記憶部１５に最も新しく保存された点字データを読み出し、点字データの文字数Ｎを計算し、読取速度記憶部１９から読取速度を読み出す。
【０１２３】
また、再生速度計算部２０は、ケース４、５でいう前後者のタイムスタンプの送信間隔Ｄを計算し、送信間隔ＤがＮ／ｎ以上なら、再生速度は３０［フレーム／秒］とする。
【０１２４】
一方、送信間隔ＤがＮ／ｎ未満なら、再生速度は（３０［フレーム／秒］×Ｄ×ｎ）／Ｎとする。
【０１２５】
例えば、文字数Ｎ＝１０［文字］、読取速度ｎ＝５［文字／秒］、送信間隔Ｄ＝３［秒］なら、Ｎ／ｎ＝１０／５＝２［秒］であり、Ｄ＝３［秒］は、Ｎ／ｎ＝２［秒］以上なので、再生速度は３０［フレーム／秒］となる。
【０１２６】
例えば、文字数Ｎ＝２０［文字］、読取速度ｎ＝５［文字／秒］、送信間隔Ｄ＝３［秒］なら、Ｎ／ｎ＝２０／５＝４［秒］であり、Ｄ＝３［秒］は、Ｎ／ｎ＝４［秒］未満なので、再生速度は以下のようになる。
【０１２７】
再生速度＝（３０［フレーム／秒］×Ｄ×ｎ）／Ｎ
＝（３０［フレーム／秒］×３［秒］×５［文字／秒］）／２０［文字］
＝２２．５［フレーム／秒］
【０１２８】
図２０は、再生表示制御部２２の動作を示すフローチャートである。
【０１２９】
再生表示制御部２２は、再生速度が再生速度記憶部２１に記憶されたなら、以下のように、映像を再生させ、点字を表示させる。
【０１３０】
図２０において、再生表示制御部２２は、映像再生部１３Ｂに再生開始指示を送信し（Ｓ９１）、再生速度記憶部２１から、まだ読み出されていない最も古いＩＤならびに当該ＩＤに関連づづけられたタイムスタンプおよび再生速度を読み出し（Ｓ９３）、そのタイムスタンプのフレームが実際に再生されるタイミングで（Ｓ９５：ＹＥＳ）、映像再生部１３Ｂに読み出した再生速度を通知し（Ｓ９７）、点字データ送信部１６Ｂに読み出したＩＤを送信し（Ｓ９７）、Ｓ９３に戻る。
【０１３１】
図２１は、映像再生部１３Ｂの動作を示すフローチャートである。
【０１３２】
映像再生部１３Ｂは、再生表示制御部２２から再生開始指示が送信されたなら（Ｓ２０１：ＹＥＳ）、映像を先頭から再生速度３０［フレーム／秒］で再生開始し（Ｓ２０３）、再生表示制御部２２から再生速度が通知されたなら（Ｓ２０５：ＹＥＳ）、映像の再生の速度を当該再生速度に等しくし（Ｓ２０７）、Ｓ２０５に戻る。
【０１３３】
図２２は、点字データ送信部１６Ｂの映像再生時の動作を示す第２のフローチャートである。
【０１３４】
点字データ送信部１６Ｂは、再生表示制御部２２からＩＤが送信されたなら（Ｓ２１Ｂ：ＹＥＳ）、点字データ記憶部１５Ｂから、ＩＤに対応づけられた点字データの内、点字表示部３１に表示可能な文字数分を限度に、最新の点字データの部分を読み出し、ピンディスプレイ３に送信し、点字表示部３１に表示させる（Ｓ２３）。
【０１３５】
次に、点字データ送信部１６Ｂは、読取終了信号を受信した場合（Ｓ２５：ＹＥＳ）、ＩＤに対応づけられた未送信の点字データが残っているなら（Ｓ２７：ＹＥＳ）、Ｓ２３に戻る。
【０１３６】
点字データ送信部１６Ｂは、未送信の点字データが残ってないなら（Ｓ２７：ＮＯ）、ピンディスプレイ３に通知して、点字表示部３１に表示されている点字データを消去させ（Ｓ２９）、Ｓ２１に戻る。
【０１３７】
図２３は、映像の再生速度、テロップ、点字について示したタイミングチャートである。
【０１３８】
図２３に示すように、テロップが検出され、点字の表示が始まると、再生表示制御部２２から映像再生部１３Ｂへ通知される再生速度で映像が再生され、例えば再生速度が低下し、よって、本来は時刻ｔ３に終了するはずのテロップが時刻ｔ５に終了する。つまり、次のテロップおよび点字の表示は、少なくとも時刻ｔ５以前には始まらない。
【０１３９】
よって、ユーザは表示中の点字を余裕をもって読み取ることができる。この場合、ユーザは、時刻ｔ３、ｔ５の間の時刻ｔ４に読み取りを終え、読取終了ボタン３２を操作して、点字が消去されることとなる。
【０１４０】
また、図２３に示すように、例えば、新たなテロップに対応する点字の表示が時刻ｔ５に始まると、先のテロップの点字データの文字数に比較して、点字データの文字数が多い場合、映像の再生速度はさらに低下し、よって、本来は時刻ｔ６に終了するはずのテロップが時刻ｔ８に終了する。つまり、次のテロップおよび点字の表示は、少なくとも時刻ｔ８以前には始まらない。
【０１４１】
よって、点字データの文字数によらず、ユーザは表示中の点字を余裕をもって読み取ることができる。この場合、ユーザは、時刻ｔ６、ｔ８の間の時刻ｔ７に読み取りを終え、読取終了ボタン３２を操作して、点字が消去されることとなる。
【０１４２】
したがって、第３の実施の形態によれば、制御装置１Ｂは、映像のテロップを含む部分のそれぞれにつき、当該映像の部分の先頭のフレームに付与されたタイムスタンプと、当該映像の部分に含まれるテロップから生成された点字データの文字数と点字表示装置（３）で点字が読み取られる読取速度とから計算された当該映像の部分の再生速度と、当該映像の部分に含まれるテロップから生成された点字データを示す識別情報とが関連づけて予め記憶される再生速度記憶部２１と、映像のテロップのそれぞれにつき、当該テロップから生成された点字データと、当該点字データを示す識別情報（ＩＤ）とが関連づけて予め記憶される点字データ記憶部１５Ｂと、再生速度記憶部２１から互いに関連づけられたタイムスタンプと、再生速度と、識別情報とを順次に読み出し、当該タイムスタンプを含むフレームが実際に再生されるタイミングで、当該再生速度および識別情報を送出する再生表示制御部２２と、再生表示制御部２２から識別情報が送出されたら、点字データ記憶部１５Ｂから当該識別情報に関連づけられた点字データを読み出し、点字表示装置（３）に当該点字データを送信して当該点字データにより点字を表示させる点字データ送信部１６Ｂと、表示装置２で映像の再生を開始し、再生表示制御部２２から再生速度が送出されたら、当該映像の再生の速度を当該再生速度に等しくする映像再生部１３Ｂとを備えるので、映像のテロップに対応する点字の読み取りが終了するまでは、当該映像の部分が点字データの文字数と読取速度に応じた再生速度で、例えば文字数が多いまたは読取速度が低ければ低速で再生される。よって、点字を読み終えるころに、対応する映像の部分の再生が終わるようにでき、つまり、点字を読み終えないうちに、次の映像の部分の再生が始まってしまうような不都合を防止することができる。
【０１４３】
以上説明したように、各実施の形態によれば、ピンディスプレイでの点字読取に時間がかかる場合であっても、読取時間に応じて映像再生を一時停止したり再生速度を動的に変化させる機能を付加することで、ユーザ個々の状態に合わせて、点字が読み取れないことをなくすことができる。
【０１４４】
なお、本実施の形態に係る制御装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１４５】
１、１Ａ、１Ｂ…制御装置
２…表示装置
３…ピンディスプレイ（点字表示装置）
１１…映像受信部
１２…映像記憶部
１３、１３Ａ、１３Ｂ…映像再生部
１４、１４Ａ、１４Ｂ…点字データ生成部
１５、１５Ｂ、１５Ｃ…点字データ記憶部
１６、１６Ａ、１６Ｂ…点字データ送信部
１７…フラグ記憶部
１７Ａ…再生速度記憶部
１８…読取速度計算部
１９…読取速度記憶部
２０…再生速度計算部
２１…再生速度記憶部
２２…再生表示制御部
３１…点字表示部
３２…読取終了ボタン
１４１…フレーム読み出し部
１４２…フレーム記憶部
１４３、１４３Ａ、１４３Ｂ…テロップ検出部
１４４…文字データ生成部
１４５…点字データ生成部
Ｆ…フラグ
【図１】
0005439404.tif 000002
【図２】
0005439404.tif 000003
【図３】
0005439404.tif 000004
【図４】
0005439404.tif 000005
【図５】
0005439404.tif 000006
【図６】
0005439404.tif 000007
【図７】
0005439404.tif 000008
【図８】
0005439404.tif 000009
【図９】
0005439404.tif 000010
【図１０】
0005439404.tif 000011
【図１１】
0005439404.tif 000012
【図１２】
0005439404.tif 000013
【図１３】
0005439404.tif 000014
【図１４】
0005439404.tif 000015
【図１５】
0005439404.tif 000016
【図１６】
0005439404.tif 000017
【図１７】
0005439404.tif 000018
【図１８】
0005439404.tif 000019
【図１９】
0005439404.tif 000020
【図２０】
0005439404.tif 000021
【図２１】
0005439404.tif 000022
【図２２】
0005439404.tif 000023
【図２３】
0005439404.tif 000024